(57)【特許請求の範囲】
【請求項１】
表示手段に情報を表示させる表示制御部と、操作部とを備えた眼科画像表示装置であって、
前記表示制御部は、
被検眼に対して光コヒーレンストモグラフィを実行することにより収集された３次元データセットに基づきそれぞれ形成された、Ｂモード画像と、前記Ｂモード画像と同じ断面を表す血管強調画像と、１以上の正面画像とを、既定のレイアウトで表示させ、
前記Ｂモード画像の断面の位置を示す断面位置マーカを、前記１以上の正面画像の少なくとも１つにオーバレイ表示させ、
前記操作部を介して行われた前記断面位置マーカを移動させるための操作に応じて、前記断面位置マーカの表示位置の変更と、前記Ｂモード画像及び前記血管強調画像のそれぞれの表示の更新とを同期的に実行する
ことを特徴とする眼科画像表示装置。
【請求項２】
前記３次元データセットを記憶する記憶部と、
前記３次元データセットに基づいて、前記Ｂモード画像、前記血管強調画像及び前記正面画像を形成する画像形成部と
を備えることを特徴とする請求項１に記載の眼科画像表示装置。
【請求項３】
前記表示制御部は、前記Ｂモード画像の断面に交差する前記３次元データセットのスライスに基づく形態正面画像と、前記３次元データセットにおいて当該断面に交差するスライスに基づく血管強調正面画像とを前記正面画像として表示可能である
ことを特徴とする請求項１又は請求項２に記載の眼科画像表示装置。
【請求項４】
前記表示制御部は、前記被検眼の２以上の異なる部位をそれぞれ表す２以上の正面画像を並べて表示させる
ことを特徴とする請求項１〜請求項３のいずれか一項に記載の眼科画像表示装置。
【請求項５】
前記表示制御部は、前記正面画像が表すスライスの範囲を変更するためのソフトキーを前記正面画像の隣接位置に表示させ、前記ソフトキーを介して行われた操作に応じて当該正面画像の表示を更新する
ことを特徴とする請求項１〜請求項４のいずれか一項に記載の眼科画像表示装置。
【請求項６】
被検眼に対して光コヒーレンストモグラフィを実行することにより３次元データセットを収集する収集部と、
前記３次元データセットに基づいて、Ｂモード画像と、前記Ｂモード画像と同じ断面を表す血管強調画像と、１以上の正面画像とを形成する画像形成部と、
表示手段に情報を表示させる表示制御部と、
操作部と
を備え、
前記表示制御部は、
前記Ｂモード画像、前記血管強調画像及び前記正面画像を既定のレイアウトで表示させ、
前記Ｂモード画像の断面の位置を表す断面位置マーカを、前記１以上の正面画像の少なくとも１つにオーバレイ表示させ、
前記操作部を介して行われた前記断面位置マーカを移動させるための操作に応じて、前記断面位置マーカの表示位置の変更と、前記Ｂモード画像及び前記血管強調画像のそれぞれの表示の更新とを同期的に実行する
ことを特徴とする眼科撮影装置。
【請求項７】
表示手段に情報を表示させる表示制御部と、操作部とを備えた眼科画像表示装置であって、
前記表示制御部は、
被検眼に対して光コヒーレンストモグラフィを実行することにより収集された３次元データセットに基づき形成された第１正面画像を、そのスライスの範囲を変更するための第１ソフトキーとともに第１表示領域に表示させ、
前記３次元データセットに基づきそれぞれ形成された第２正面画像及びＢモード画像を第２表示領域に表示させ、
前記Ｂモード画像の断面の位置を表す断面位置マーカを前記第２正面画像にオーバレイ表示させ、
前記３次元データセットに基づき形成された第３正面画像を、そのスライスの範囲を変更するための第２ソフトキーとともに第３表示領域に表示させ、
前記第１ソフトキーを介して行われた操作に応じて前記第１正面画像の表示を更新し、
前記第１正面画像のスライスの範囲を確定するための操作が前記操作部を介して行われたとき、当該第１正面画像を前記第２正面画像として前記第２表示領域に表示させ、かつ、当該第１正面画像のスライスの範囲を示すスライスマーカを前記Ｂモード画像にオーバレイ表示させ、
前記操作部を介して行われた前記断面位置マーカを移動させるための操作に応じて、前記断面位置マーカの表示位置の変更と、前記Ｂモード画像の表示の更新とを同期的に実行し、
前記第２ソフトキーを介して行われた操作に応じて前記第３正面画像の表示を更新する
ことを特徴とする眼科画像表示装置。
【請求項８】
前記表示制御部は、前記操作部を介して行われた前記スライスマーカを移動させるための操作に応じて、前記スライスマーカの表示位置の変更と、前記第２正面画像の表示の更新とを同期的に実行する
ことを特徴とする請求項７に記載の眼科画像表示装置。
【請求項９】
前記表示制御部は、前記３次元データセットに基づきそれぞれ形成された、前記被検眼の２以上の異なる部位をそれぞれ表す２以上の第１正面画像を、前記２以上の第１正面画像のそれぞれに対応する前記第１ソフトキーとともに前記第１表示領域に表示させる
ことを特徴とする請求項７又は請求項８に記載の眼科画像表示装置。
【請求項１０】
前記３次元データセットを記憶する記憶部と、
前記３次元データセットに基づいて、前記第１正面画像、前記第２正面画像、前記Ｂモード画像及び前記第３正面画像を形成する画像形成部と
を備えることを特徴とする請求項７〜請求項９のいずれか一項に記載の眼科画像表示装置。
【請求項１１】
前記表示制御部は、前記第２正面画像及び前記第３正面画像として、前記Ｂモード画像の断面に交差する前記３次元データセットのスライスに基づく形態正面画像と、前記３次元データセットにおいて当該断面に交差するスライスに基づく血管強調正面画像とを表示可能である
ことを特徴とする請求項７〜請求項１０のいずれか一項に記載の眼科画像表示装置。
【請求項１２】
被検眼に対して光コヒーレンストモグラフィを実行することにより３次元データセットを収集する収集部と、
前記３次元データセットに基づいてＢモード画像及び正面画像を形成可能な画像形成部と、
表示手段に情報を表示させる表示制御部と、
操作部と
を備え、
前記表示制御部は、
前記３次元データセットに基づき形成された第１正面画像を、そのスライスの範囲を変更するための第１ソフトキーとともに第１表示領域に表示させ、
前記３次元データセットに基づきそれぞれ形成された第２正面画像及びＢモード画像を第２表示領域に表示させ、
前記Ｂモード画像の断面の位置を表す断面位置マーカを前記第２正面画像にオーバレイ表示させ、
前記３次元データセットに基づき形成された第３正面画像を、そのスライスの範囲を変更するための第２ソフトキーとともに第３表示領域に表示させ、
前記第１ソフトキーを介して行われた操作に応じて前記第１正面画像の表示を更新し、
前記第１正面画像のスライスの範囲を確定するための操作が前記操作部を介して行われたとき、当該第１正面画像を前記第２正面画像として前記第２表示領域に表示させ、かつ、当該第１正面画像のスライスの範囲を示すスライスマーカを前記Ｂモード画像にオーバレイ表示させ、
前記操作部を介して行われた前記断面位置マーカを移動させるための操作に応じて、前記断面位置マーカの表示位置の変更と、前記Ｂモード画像の表示の更新とを同期的に実行し、
前記第２ソフトキーを介して行われた操作に応じて前記第３正面画像の表示を更新する
ことを特徴とする眼科撮影装置。
【発明の詳細な説明】
【技術分野】
【０００１】
この発明は、眼科画像表示装置及び眼科撮影装置に関する。
【背景技術】
【０００２】
眼科分野において画像診断は重要な位置を占める。近年では光コヒーレンストモグラフィ（Ｏｐｔｉｃａｌ  Ｃｏｈｅｒｅｎｃｅ  Ｔｏｍｏｇｒａｐｈｙ：ＯＣＴ）の活用が進んでいる。ＯＣＴは、被検眼のＢモード画像や３次元画像の取得だけでなく、Ｃモード画像やシャドウグラムなどの正面画像（ｅｎ−ｆａｃｅ画像）の取得にも利用されるようになってきている。また、被検眼の特定部位を強調した画像を取得することや、機能情報を取得することも行われている。たとえば、ＯＣＴにより収集された時系列ボリュームデータに基づいて、網膜血管や脈絡膜血管が強調されたＢモード画像や正面画像（血管強調画像、アンギオグラム）を構築することができる。更に、被検眼の所望のスライスを観察するためのレンダリング手法やグラフィカルユーザインターフェイス（ＧＵＩ）が提案されている。
【先行技術文献】
【特許文献】
【０００３】
【特許文献１】米国特許出願公開第２０１２／０１９４７８３号明細書
【特許文献２】特開２０１３−１８４０１８号公報
【特許文献３】特表２０１０−５２３２８６号公報
【特許文献４】特開２００９−１６５７１０号公報
【特許文献５】特開２０１５−０００１３１号公報
【発明の概要】
【発明が解決しようとする課題】
【０００４】
眼科画像診断では、複数の画像が順次に、又は一覧として参照される。特にＯＣＴ画像診断においては、ユーザは、Ｂモード画像や正面画像、形態画像や機能画像など、様々な種別の画像を、スライス位置やスライス厚を適宜に変更しながら観察する。しかし、このような観察を円滑かつ迅速に行うことは従来の技術では困難であった。たとえば、表示画像を適宜に切り替えつつ観察を行う場合、従来の技術では、前回や前々回に表示された画像を再度表示することができないため、切り替え前後の画像の比較を円滑に行うことは困難であった。また、従来の技術では、同様のパラメータ設定が適用された複数の画像を並べて表示させることができないため、表示画像の切り替え時に設定内容を確認しながら次の画像を表示させるという煩雑な作業を行う必要があった。
【０００５】
この発明の目的は、眼科画像診断の円滑化及び迅速化を図ることにある。
【課題を解決するための手段】
【０００６】
実施形態の眼科画像表示装置は、表示手段に情報を表示させる表示制御部と、操作部とを備える。表示制御部は、被検眼に対して光コヒーレンストモグラフィを実行することにより収集された３次元データセットに基づきそれぞれ形成された、Ｂモード画像と、このＢモード画像と同じ断面を表す血管強調画像と、１以上の正面画像とを、既定のレイアウトで表示させる。また、表示制御部は、Ｂモード画像の断面の位置を示す断面位置マーカを、１以上の正面画像の少なくとも１つにオーバレイ表示させる。更に、表示制御部は、操作部を介して行われた断面位置マーカを移動させるための操作に応じて、断面位置マーカの表示位置の変更と、Ｂモード画像及び血管強調画像のそれぞれの表示の更新とを同期的に実行する。
【発明の効果】
【０００７】
実施形態によれば、眼科画像診断を円滑かつ迅速に行うことが可能である。
【図面の簡単な説明】
【０００８】
【図１】実施形態に係る眼科画像表示装置の構成の一例を表す概略図である。
【図２】実施形態に係る眼科画像表示装置が表示する画面の一例を表す概略図である。
【図３】実施形態に係る眼科画像表示装置が表示する画面の一例を表す概略図である。
【図４】実施形態に係る眼科画像表示装置が表示する画面の一例を表す概略図である。
【図５】実施形態に係る眼科画像表示装置が表示する画面の一例を表す概略図である。
【図６】実施形態に係る眼科画像表示装置が表示する画面の一例を表す概略図である。
【図７】実施形態に係る眼科画像表示装置が表示する画面の一例を表す概略図である。
【図８】実施形態に係る眼科画像表示装置が表示する画面の一例を表す概略図である。
【図９】実施形態に係る眼科撮影装置の構成の一例を表す概略図である。
【発明を実施するための形態】
【０００９】
この発明の例示的な実施形態について、図面を参照しながら説明する。なお、この明細書で引用する文献の記載内容を実施形態に援用することができる。
【００１０】
実施形態は、被検眼の画像を観察するためのＧＵＩを提供する。このＧＵＩは、少なくともＯＣＴ画像の観察に使用される。ＯＣＴ画像には、任意の断面モードの画像（Ｂモード画像、Ｃモード画像、多断面再構成（ＭＰＲ）画像等）、３次元データセット（ボリュームデータ、スタックデータ等）の任意の範囲を投影して得られるシャドウグラム、被検眼の実質的に同じ範囲を繰り返しスキャンして得られた複数の２次元データセットから構成された３次元データセットに基づき形成された血管強調画像（アンギオグラム）などがある。この３次元データセットは、たとえば、複数のＢ断面Ｂ１、Ｂ２、・・・、Ｂｎをそれぞれ所定回数ずつ（たとえば４回ずつ）スキャンして、各Ｂ断面Ｂｉ（ｉ＝１、２、・・・、ｎ）のＢモード画像を所定枚数ずつ形成し、これらを同じ３次元座標系に埋め込むことによって（更に、それをボクセル化することによって）取得される。このような画像形成技術は既知である。
【００１１】
実施形態の眼科画像表示装置は、３次元データセットから画像を形成する機能（レンダリング機能）を有していてもいなくてもよい。レンダリング機能を有する場合、眼科画像表示装置は、眼科ＯＣＴ装置により取得された３次元データセットをネットワーク（院内ＬＡＮ等）や記録媒体を介して取得し、ユーザやコンピュータからの指示にしたがって３次元データセットをレンダリングすることにより観察用の画像を形成する。一方、レンダリング機能を有しない場合、眼科画像表示装置は、レンダリング機能を有する外部コンピュータ（サーバ等）とネットワークを介してリアルタイムで通信可能であり、ユーザ等からの指示を外部コンピュータに送信し、この指示に応じて外部コンピュータにより形成された観察用の画像を受信する。なお、画像が表示される表示デバイスは、眼科画像表示装置に含まれていてもいなくてもよい。
【００１２】
実施形態の眼科撮影装置は、レンダリング機能を有する眼科画像表示装置を含み、ＯＣＴを実行するための光学系や駆動系や制御系やデータ処理系を含む。実施形態の眼科撮影装置は、たとえばフーリエドメインＯＣＴを実行可能に構成される。フーリエドメインＯＣＴには、スペクトラルドメインＯＣＴと、スウェプトソースＯＣＴとがある。スペクトラルドメインＯＣＴは、広帯域の低コヒーレンス光源と分光器とを用いて、干渉光のスペクトルを空間分割で取得し、それをフーリエ変換することによって被検眼を画像化する手法である。スウェプトソースＯＣＴは、波長掃引光源（波長可変光源）と光検出器（バランスドフォトダイオード等）とを用いて、干渉光のスペクトルを時分割で取得し、それをフーリエ変換することによって被検眼を画像化する手法である。眼科撮影装置は、ＯＣＴ以外のモダリティを含んでいてもよい。そのようなモダリティとして、眼底カメラ、ＳＬＯ（Ｓｃａｎｎｉｎｇ  Ｌａｓｅｒ  Ｏｐｈｔｈａｌｍｏｓｃｏｐｅ）、スリットランプ顕微鏡、眼科手術用顕微鏡などがある。
【００１３】
〈眼科画像表示装置〉
［構成］
眼科画像表示装置の実施形態を説明する。眼科画像表示装置の構成例を図１に示す。眼科画像表示装置１は、被検眼の画像を観察するためのＧＵＩや被検眼に関する各種情報を表示デバイス２に表示させる。表示デバイス２は眼科画像表示装置１の一部であってもよいし、眼科画像表示装置１に接続された外部装置であってもよい。
【００１４】
眼科画像表示装置１は、制御部１０と、記憶部２０と、データ入出力部３０と、データ処理部４０と、操作部５０とを含む。
【００１５】
制御部１０は、眼科画像表示装置１の各部を制御する。制御部１０はプロセッサを含む。なお、本明細書において「プロセッサ」は、たとえば、ＣＰＵ（Ｃｅｎｔｒａｌ  Ｐｒｏｃｅｓｓｉｎｇ  Ｕｎｉｔ）、ＧＰＵ（Ｇｒａｐｈｉｃｓ  Ｐｒｏｃｅｓｓｉｎｇ  Ｕｎｉｔ）、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）、プログラマブル論理デバイス（たとえば、ＳＰＬＤ（Ｓｉｍｐｌｅ  Ｐｒｏｇｒａｍｍａｂｌｅ  Ｌｏｇｉｃ  Ｄｅｖｉｃｅ）、ＣＰＬＤ（Ｃｏｍｐｌｅｘ  Ｐｒｏｇｒａｍｍａｂｌｅ  Ｌｏｇｉｃ  Ｄｅｖｉｃｅ）、ＦＰＧＡ（Ｆｉｅｌｄ  Ｐｒｏｇｒａｍｍａｂｌｅ  Ｇａｔｅ  Ａｒｒａｙ））等の回路を意味する。制御部１０は、たとえば、記憶回路や記憶装置（記憶部２０等）に格納されているプログラムを読み出し実行することで、実施形態に係る機能を実現する。
【００１６】
制御部１０は表示制御部１１を含む。表示制御部１１は、表示デバイス２に情報を表示させるための制御を実行する。表示制御部１１は、記憶部１２に格納された情報に基づいて表示制御を実行することができる。
【００１７】
記憶部１２には各種情報が記憶される。本例においては、ＧＵＩテンプレート２１と、ＧＵＩ制御プログラム２２と、データ処理プログラム２３とが、記憶部１２に予め記憶される。ＧＵＩテンプレート２１は、表示デバイス２にＧＵＩとして表示される画面やダイアログやアイコン等のテンプレートである。ＧＵＩプログラム２２は、ＧＵＩテンプレート２１に基づき表示されるＧＵＩに関する制御を制御部が行うために実行されるプログラムである。データ処理プログラム２３は、データ処理部４０（及び制御部１０）がデータ処理を行うために実行されるプログラムである。これら情報に基づき実行される動作については後述する。
【００１８】
データ入出力部３０は、眼科画像表示装置１へのデータの入力と、眼科画像表示装置１からのデータの出力とを実行する。なお、データ入出力部３０は、データの入力又は出力のみを行う構成であってもよい。データ入出力部３０は、たとえば、ＬＡＮ、インターネット、専用線等の通信回線を介してデータの送受信を行うための通信デバイスを含んでよい。また、データ入出力部３０は、記録媒体からのデータの読み取りと、記録媒体へのデータの書き込みとを行うためのリーダライタを含んでよい。また、データ入出力部３０は、印刷媒体等に記録された情報を読み取るスキャナや、紙媒体に情報を記録するプリンタなどを含んでいてよい。
【００１９】
データ処理部４０は、データ処理プログラム２３を実行するプロセッサを含み、各種のデータ処理を行う。たとえば、データ処理部４０は、被検眼の画像データに対して画像処理を施す。その典型例として、データ処理部４０は、３次元コンピュータグラフィクス（３ＤＣＧ）等のレンダリングを実行する。
【００２０】
被検眼の３次元ＯＣＴスキャン（ボリュームスキャン）により取得された３次元データセット（ボリュームデータ、スタックデータ等）が眼科画像表示装置１に入力された場合、データ処理部４０は、この３次元データセットに各種のレンダリングを施すことで、Ｂモード画像（縦断面像、軸方向断面像）、Ｃモード画像（横断面像、水平断面像）、プロジェクション画像、シャドウグラムなどを形成することができる。Ｂモード画像やＣモード画像のような任意断面の画像は、指定された断面上の画素（ピクセル、ボクセル）を３次元データセットから選択することにより形成される。プロジェクション画像は、３次元データセットを所定方向（Ｚ方向、深さ方向、軸方向）に投影することによって形成される。シャドウグラムは、３次元データセットの一部（たとえば特定層に相当する部分データ）を所定方向に投影することによって形成される。Ｃモード画像、プロジェクション画像、シャドウグラムのような、被検眼の正面側を視点とする画像を正面画像と呼ぶ。
【００２１】
データ処理部４０は、レンダリングの他にも各種の画像処理を実行することが可能である。たとえば、特定の組織や組織境界を求めるためのセグメンテーションや、組織のサイズ（層厚、体積等）を求めるためのサイズ解析などがある。セグメンテーションにより特定層（又は特定の層境界）が求められた場合、その特定層が平坦になるようにＢモード画像や正面画像を再構築することが可能である。そのような画像を平坦化画像と呼ぶ。
【００２２】
眼科画像表示装置１により表示される典型的な画像として血管強調画像（アンギオグラム）がある。血管強調画像は、ＯＣＴデータを解析することで血管に相当する画像領域（血管領域）を特定し、この血管領域の表現態様を変更することでそれを強調した画像である。血管領域の特定には、被検眼の実質的に同じ範囲を繰り返しスキャンして得られた複数のＯＣＴデータが用いられる。実施形態においては、平面画像としての血管強調画像（血管強調正面画像）を表示するために３次元データセットが用いられる。
【００２３】
血管強調正面画像を形成するための手法には幾つかの種類がある。そのための典型的な手法を説明する。まず、被検眼の複数のＢ断面のそれぞれを繰り返しスキャンすることにより、時系列に並んだ複数のＢモード画像をＢ断面ごとに含む３次元データセットが作成される。実質的に同じＢ断面を繰り返しスキャンするための手法として、固視やトラッキングがある。
【００２４】
次に、複数のＢモード画像の位置合わせがＢ断面ごとに実行される。この位置合わせは、たとえば、公知の画像マッチング技術を用いて行われる。その典型例として、各Ｂモード画像における特徴領域の抽出と、抽出された複数の特徴領域の位置合わせによる複数のＢモード画像の位置合わせとを実行することができる。
【００２５】
続いて、位置合わせされた複数のＢモード画像の間で変化している画像領域を特定する処理が行われる。この処理は、たとえば、異なるＢモード画像の間の差分を求める処理を含む。各Ｂモード画像は、被検眼の形態を表す輝度画像データであり、血管以外の部位に相当する画像領域は実質的に不変であると考えられる。一方、干渉信号に寄与する後方散乱が血流によってランダムに変化することを考慮すると、位置合わせされた複数のＢモード画像の間で変化が生じた画像領域（たとえば、差分がゼロでない画素、又は差分が所定閾値以上である画素）は血管領域であると推定することができる。
【００２６】
このようにして特定された画像領域には、それが血管領域である旨を示す情報が割り当てられる。それにより、Ｂモード画像としての血管強調画像や、血管強調正面画像を表示するときに、血管領域の画素値を変更してそれを強調表示することが可能となる。
【００２７】
なお、血管強調画像を形成する処理はこれに限定されない。たとえば、特許文献２−４に開示されたようなドップラーＯＣＴの手法を用いて血管領域を特定することや、特許文献５に開示されたような画像処理を用いて血管領域を特定することが可能である。また、部位に応じて異なる手法を用いることにより、部位ごと血管領域を特定することが可能である。たとえば、網膜については上記の典型的な手法やドップラーＯＣＴの手法を用いて血管領域を特定し、脈絡膜については特許文献５に開示された画像処理を用いて血管領域を特定することができる。
【００２８】
データ処理部４０の機能は上記に限定されるものではない。たとえば、以下において適宜に説明される機能や、任意の公知の機能をデータ処理部４０は実行可能である。
【００２９】
操作部５０は、眼科画像表示装置１に対してユーザが指示を入力するために使用される。操作部５０は、コンピュータに用いられる公知の操作デバイスを含んでよい。たとえば、操作部５０は、マウスやタッチパッドやトラックボール等のポインティングデバイスを含んでよい。また、操作部５０は、キーボードやペンタブレット、専用の操作パネルなどを含んでよい。眼科画像表示装置１が眼科装置（たとえばＯＣＴ装置）に接続されている場合、眼科装置に設けられた操作デバイス（ジョイスティック、ボタン、スイッチ等）を用いて眼科画像表示装置１に指示を入力できるように構成することが可能である。その場合、操作部５０は、眼科装置の操作デバイスを含む。
【００３０】
［表示画面及び使用形態］
眼科画像表示装置１の典型的な使用形態を表示画面の例とともに説明する。以下の例において、制御部１０は、ＧＵＩ制御プログラム２２を実行することによって各種処理を行う。このとき、ＧＵＩテンプレート２１が適宜に用いられる。同様に、データ処理部４０は、データ処理プログラム２３を実行することによって各種処理を実行する。
【００３１】
まず、被検眼の実質的に同じ範囲を複数のＢ断面のそれぞれについて繰り返しスキャンすることにより、時系列に並んだ複数の２次元データセット（Ｂモード画像）をＢ断面ごとに取得し、これら２次元データセットから３次元データセットが作成される。このステップは、眼科ＯＣＴ装置（又はそれにより取得されたデータを処理するコンピュータ）を用いて実行される。眼科ＯＣＴ装置は、たとえば、眼科画像表示装置１と同じ医療機関に設置されている。この眼科ＯＣＴ装置により取得された３次元データセットは、たとえば、医療機関内に構築されたＬＡＮを介して画像管理サーバに送信され格納される。なお、３次元データセットを格納する前又は後の段階において、血管強調画像（正面画像、Ｂモード画像等）の形成や、セグメンテーションを実行することが可能である。他の例として、眼科ＯＣＴ装置は、眼科画像表示装置１と異なる場所に設置されている。この眼科ＯＣＴにより取得された３次元データセットは、たとえば、インターネットや専用線を介して画像管理サーバ（画像管理用クラウドサーバ）に送信され格納される。更に他の例において、眼科ＯＣＴ装置により取得された３次元データセットは、記録媒体に保存される。なお、３次元データセットは、当該患者の識別情報に関連付けられて格納・保存される。この識別情報には、たとえば、医療機関にて各患者に付与される患者ＩＤや、公的な個人識別情報（保険番号等）が含まれる。
【００３２】
眼科画像表示装置１のユーザ（医師等）がＧＵＩの使用を開始するための指示を入力すると、制御部１０（表示制御部１１）は、ＧＵＩ制御プログラム２２を起動させ、ＧＵＩテンプレート２１に基づいて所定の表示画面を表示デバイス２に表示させる。ユーザは、この表示画面に対し、操作部５０を用いて患者識別情報を入力する。或いは、眼科画像表示装置１は、データ入出力部３０に含まれるカードリーダで患者カード等を読み取ることにより患者識別情報を受け付ける。患者識別情報の入力方法はこれらに限定されない。なお、記録媒体に保存された３次元データセットが眼科画像表示装置１に入力される場合には、患者識別情報の入力を行わなくてもよい。
【００３３】
眼科画像表示装置１の制御部１０は、データ入出力部３０に含まれる通信デバイスを制御することで、入力された患者識別情報をネットワークを介して画像管理サーバに送る。画像管理サーバは、この患者識別情報を受け付け、それに関連付けられた画像データを検索し、検索された画像データを眼科画像表示装置１に送信する。このステップにおいては、たとえば、当該被検眼（及び当該患者の他方の眼）について過去に取得された全ての又は幾つかの画像データが検索され送信される。この画像データには、たとえば上記の要領で得られた３次元データセットが含まれているものとする。この３次元データセットは、たとえば、各Ｂ断面に対して複数のＢモード画像が割り当てられた第１の３次元データセットでもよいし、各Ｂ断面の複数のＢモード画像の位置合わせや強調処理を実行して得られた第２の３次元データセットでもよいし、これらのいずれかをボクセル化して得られた第３の３次元データセットでもよい。第１の３次元データセット又はそれをボクセル化して得られた第３の３次元データセットが用いられる場合、位置合わせや強調処理は、たとえば眼科画像表示装置１によって実行される。
【００３４】
眼科画像表示装置１のデータ入出力部３０に含まれる通信デバイスは、画像管理サーバから送信された画像データを受け付ける。制御部１０は、受け付けられた画像データを患者識別情報とともに記憶部２０に格納する。
【００３５】
表示制御部１１は、当該被検眼（又は当該患者）の画像データのリストを表示画面に表示させる。ユーザは、操作部５０を用いて所望の画像データを選択する。ここでは、３次元データセットが選択されたものとする。制御部１０は、選択された３次元データセットを記憶部２０から読み出し、データ処理部４０に送る。
【００３６】
表示制御部１１は、ＧＵＩテンプレート２１に含まれるサマリ画面テンプレートに基づいて、図２に示すサマリ画面１０００を表示させる。サマリ画面１０００は、眼底の画像を観察するために使用される。サマリ画面１０００には、各種操作を行うためのソフトキーが設けられた操作領域１０１０が設けられている。
【００３７】
サマリ画面１０００の上部には、３つの正面画像表示領域１０２０、１０３０及び１０４０が横方向に並んで配置されている。左側の正面画像表示領域１０２０の下方にはＢモードアンギオグラム表示領域１０５０が配置されている。中央の正面画像表示領域１０３０の下方、かつ、Ｂモードアンギオグラム表示領域１０５０の右方には、Ｂモード画像表示領域１０６０が配置されている。操作領域１０１０は、右側の正面画像表示領域１０３０の下方、かつ、Ｂモード画像表示領域１０６０の右方に配置されている。
【００３８】
正面画像表示領域１０２０とＢモードアンギオグラム表示領域１０５０との間には、正面画像表示領域１０２０に表示される画像に関する操作を行うためのソフトキー群が設けられている。同様のソフトキー群は、正面画像表示領域１０３０とＢモード画像表示領域１０６０との間、及び、正面画像表示領域１０４０と操作領域１０１０との間にも設けられている。各ソフトキー群には、左側から順に、画像化される範囲（スライス）の上端となる眼底の層（境界）の種別を選択するためのプルダウンメニューと、この上端位置を深さ方向（Ｚ方向）に移動するための上下ボタン及びオフセット表示部と、画像化される範囲（スライス）の下端となる眼底の層（境界）の種別を選択するためのプルダウンメニューと、この下端位置を深さ方向に移動するための上下ボタン及びオフセット表示部とが含まれている。
【００３９】
なお、各ソフトキー群において設定可能なスライスの上端及び下端の選択肢の典型的な例として、ＩＬＭ（内境界膜）、ＮＦＬ／ＧＣＬ（神経線維層−神経節細胞層境界）、ＩＰＬ／ＩＮＬ（内網状層−内顆粒層境界）、ＩＳ／ＯＳ（視細胞内節外節接合部）、ＲＰＥ（網膜色素上皮層）、ＢＭ（ブルッフ膜）、ＣＳＩ（脈絡膜−強膜境界）などがある。ユーザは、上端のプルダウンメニュー及び下端のプルダウンメニューのそれぞれにおいて所望のバウンダリ（組織及び組織境界をまとめてバウンダリと呼ぶ）を設定し、更に、Ｂモード画像等を参照しつつ上下ボタンを操作することにより上端及び下端のそれぞれのオフセットを設定することができる。各選択肢に対応する画像領域は、３次元データセットをセグメンテーションすることによって特定される。
【００４０】
正面画像表示領域１０４０と操作領域１０１０との間に設けられたソフトキー群の右側には、正面画像を形成するためのレンダリング処理を切り替えるための「Ｐｒｏｊｅｃｔｉｏｎ」チェックボックスが設けられている。このチェックボックスにチェックが入っていない場合、データ処理部４０は、投影方向における最大輝度値を採用するＭＩＰ（Ｍａｘｉｍｕｍ  Ｉｎｔｅｎｓｉｔｙ  Ｐｒｏｊｅｃｔｉｏｎ：最大値投影法）処理によって血管強調正面画像を形成し、或いは、投影方向における輝度値の加算平均を採用する加算平均処理によって正面ＯＣＴ画像（輝度画像）を形成する。一方、チェックボックスにチェックが入っている場合、データ処理部４０は、深さ方向の全範囲において投影方向に輝度値を積算するプロジェクション処理によって正面画像を形成する。ユーザは、「Ｐｒｏｊｅｃｔｉｏｎ」チェックボックスを利用することで、ＯＣＴモードの場合でもアンギオグラムモードの場合でも、深さ方向全域にわたるプロジェクション画像を所望のタイミングで観察することが可能である。なお、プロジェクション画像を常時表示するＧＵＩを適用することも可能である。ここで、適用可能なレンダリング処理はこれらに限定されない。たとえば、「Ｐｒｏｊｅｃｔｉｏｎ」チェックボックスと同様のソフトキーを他のレンダリング処理について設けることができる。このソフトキーが操作されると、データ処理部４０は、たとえば、画像データ中のスラブ（ｓｌａｂ）に対してＭＩＰ処理を施すスラブＭＩＰ処理、投影方向における最小輝度値を採用するＭｉｎＩＰ処理、任意断面を表示するＭＰＲ処理、注目部位の表面を表示するサーフェスレンダリング処理、注目部位の擬似的３次元画像を表示するボリュームレンダリング処理などを実行する。それにより形成されたレンダリング画像は、表示制御部１１によりたとえば正面画像表示領域１０４０に表示される。
【００４１】
例示的な操作領域１０１０には次のようなソフトキー等が設けられている：
表示される画像（たとえばＢモード画像）のアスペクト比を設定するための「Ａｓｐｅｃｔ  ｒａｔｉｏ」プルダウンメニュー；
眼底のバウンダリの位置を示す境界マーカのＢモード画像上へのオーバレイ表示のオン／オフを切り替えるための「Ｌａｙｅｒ  ＯＮ／ＯＦＦ」ボタン；
Ｂモード画像の断面の位置を示す断面位置マーカの正面画像上へのオーバレイ表示のオン／オフを切り替えるための「Ｌｉｎｅ  ＯＮ／ＯＦＦ」ボタン；
画像の表示形態を切り替えるための疑似カラー表示ボタン、白黒ボタン及び白黒反転ボタン；
画像表示モードを切り替えるための「ＯＣＴ」モードボタン及び「Ａｎｇｉｏｇｒａｍ」モードボタン；
眼底のバウンダリの位置（境界マーカの位置）を初期位置に戻すための「Ｂｏｕｎｄａｒｙ  Ｒｅｓｅｔ」ボタン（ＯＣＴモード及びＡｎｇｉｏｇｒａｍモードのそれぞれについて、黄斑部観察用初期位置と乳頭部観察用初期位置とを設定できる）；
画像のコントラストを調整するための「Ｃｏｎｔｒａｓｔ」エリアの「Ｍｉｎ」スライダ及び「Ｍａｘ」スライダ、並びに設定値表示部（なお、ＯＣＴモードにおいてはＢモード画像のコントラスト調整に用いられ、Ａｎｇｉｏｇｒａｍモードにおいては正面画像のコントラスト調整に用いられる）；
画像の明るさ（輝度）を調整するための「Ｂｒｉｇｈｔｎｅｓｓ」スライダ及び数値設定用ソフトキー；
画像のガンマ係数を調整するための「Ｇａｍｍａ」スライダ及び設定値表示部；
特定部位を強調表示するための「Ｅｎｈａｎｃｅ」チェックボックス；
ＯＣＴモードにおいては輝度の設定値とガンマ係数の設定値とを初期値に戻すために用いられ、Ａｎｇｉｏｇｒａｍモードにおいてはコントラストの設定値と輝度の設定値とガンマ係数の設定値とを初期値に戻すために用いられる「Ｒｅｓｅｔ」ボタン；
印刷出力を行うための「Ｐｒｉｎｔ」ボタン；
スクリーンショットを行うための「Ｓｃｒｅｅｎｓｈｏｔ」ボタン；
後述の詳細観察画面２０００に移行するための「ＯＫ」ボタン。
なお、図２に示す操作領域１０１０は、Ａｎｇｉｏｇｒａｍモードにおける例である。ＯＣＴモードで表示される操作領域１０１０の例については後述する。
【００４２】
ユーザがＡｎｇｉｏｇｒａｍモードを選択した場合、図２に示すような画像が提示されたサマリ画面１０００が表示される。一方、ユーザがＯＣＴモードを選択した場合、図３に示すような画像が提示されたサマリ画面１０００が表示される。なお、図２及び図３に表示された画像は全て、同じ３次元データセットから作成される。ユーザは、ＡｎｇｉｏｇｒａｍモードとＯＣＴモードとを任意に切り替えながら、眼底の血管の状態と眼底の形態とを観察することができる。
【００４３】
図２は、Ａｎｇｉｏｇｒａｍモードにおけるサマリ画面１０００の典型的な表示例を示す。正面画像表示領域１０２０、１０３０及び１０４０には、被検眼の異なる部位をそれぞれ表す３つの血管強調正面画像（正面アンギオグラム）が表示される。図２に示す表示例では、ＮＦＬ／ＧＣＬ（オフセット０）からＩＰＬ／ＩＮＬ（オフセット０）までの組織を表す正面アンギオグラムＦＡ１が正面画像表示領域１０２０に表示され、ＩＰＬ／ＩＮＬの上方２６．０μｍからＩＰＬ／ＩＮＬの下方５２．０μｍまでの組織を表す正面アンギオグラムＦＡ２が正面画像表示領域１０３０に表示され、ＢＭからＢＭの下方１０．４μｍまでの組織を表す正面アンギオグラムＦＡ３が正面画像表示領域１０４０に表示されている。
【００４４】
更に、図２に示す表示例においては、Ｂモード血管強調画像（Ｂモードアンギオグラム）ＢＡがＢモードアンギオグラム表示領域１０５０に表示され、Ｂモード画像（ＢモードＯＣＴ画像）ＢＯがＢモード画像表示領域１０６０に表示されている。ＢモードアンギオグラムＢＡとＢモード画像ＢＯは同じ断面を表している。
【００４５】
正面画像表示領域１０２０に表示された正面アンギオグラムＦＡ１には、断面位置マーカＣＰＭがオーバレイ表示されている。断面位置マーカＣＰＭは、ＢモードアンギオグラムＢＡ及びＢモード画像ＢＯの断面に対応する正面アンギオグラムＦＡ１内の位置を示している。同様の断面位置マーカを正面アンギオグラムＦＡ２及び／又はＦＡ３にオーバレイ表示することもできる。断面位置マーカＣＰＭの不透明度（α値）は任意である。
【００４６】
ＢモードアンギオグラムＢＡ及びＢモード画像ＢＯには、境界マーカＵＢＭ及びＬＢＭがオーバレイ表示されている。境界マーカＵＢＭは、正面アンギオグラムＦＡ１のスライスの上端（バウンダリ）に対応するＢモードアンギオグラムＢＡ内の位置を示している。境界マーカＬＢＭは、正面アンギオグラムＦＡ１のスライスの下端（バウンダリ）に対応するＢモードアンギオグラムＢＡ内の位置を示している。Ｂモード画像ＢＯにも同様の境界マーカがオーバレイ表示されている。境界マーカＵＢＭ及びＬＢＭの不透明度（α値）は任意である。
【００４７】
正面アンギオグラムＦＡ１（ＦＡ２、ＦＡ３）と、ＢモードアンギオグラムＢＡと、Ｂモード画像ＢＯとは同じ３次元データセットから形成された画像であるから、このような位置の対応付けを行うことは容易である。
【００４８】
ユーザは、断面位置マーカＣＰＭを移動させるための指示を操作部５０を用いて行うことができる。表示制御部１１は、当該操作に応じて、断面位置マーカＣＰＭの表示位置の変更と、ＢモードアンギオグラムＢＡ及びＢモード画像ＢＯのそれぞれの表示の更新とを同期的に実行する。断面位置マーカＣＰＭを移動させるための操作は、たとえば、マウスを用いた断面位置マーカＣＰＭのドラッグ操作である。表示制御部１１は、このドラッグ操作の移動方向にその移動量だけ断面位置マーカＣＰＭの表示位置をリアルタイムで変更する。この表示制御と並行して、データ処理部４０は、断面位置マーカＣＰＭの新たな位置を断面とするＢモードアンギオグラムＢＡ及びＢモード画像ＢＯをそれぞれ形成し、表示制御部１１は、新たに形成されたＢモードアンギオグラムＢＡ及びＢモード画像ＢＯをそれぞれＢモードアンギオグラム表示領域１０５０及びＢモード画像表示領域１０６０に表示させる。或いは、これら画像を予め形成して記憶部２０に保存しておき、それを読み出して表示させるようにしてもよい。これにより、ＢモードアンギオグラムＢＡ及びＢモード画像ＢＯのそれぞれの表示が更新される。
【００４９】
正面画像表示領域１０２０とＢモードアンギオグラム表示領域１０５０との間に設けられたソフトキー群により正面アンギオグラムＦＡ１の表示条件（上端のバウンダリ及び下端のバウンダリ）が変更されると、表示制御部１１は、変更後の上端のバウンダリに対応する位置に境界マーカＵＢＭを表示させ、変更後の下端のバウンダリに対応する位置に境界マーカＬＢＭを表示させる。この表示制御は、正面アンギオグラムＦＡ１の表示条件の変更と並行してリアルタイムで実行される。
【００５０】
図３は、ＯＣＴモードにおけるサマリ画面１０００の典型的な表示例を示す。ＯＣＴモードにおける操作領域１０１０には、Ａｎｇｉｏｇｒａｍモードの場合のそれと同様のソフトキーなどに加え、画像の色を調整するための「Ｃｏｌｏｒ」エリアの「Ｍｉｎ」スライダ及び「Ｍａｘ」スライダ、並びに設定値表示部が設けられている。
【００５１】
正面画像表示領域１０２０、１０３０及び１０４０には、被検眼の異なる部位をそれぞれ表す３つの正面画像が表示される。図３に示す表示例では、ＮＦＬ／ＧＣＬ（オフセットは−１３．０μｍ）からＮＦＬ／ＧＣＬ（オフセット０）までの組織を表す正面画像（Ｃモード画像、シャドウグラム等の正面ＯＣＴ画像）ＦＯ１が正面画像表示領域１０２０に表示され、ＩＰＬ／ＩＮＬの上方２６．０μｍからＩＰＬ／ＩＮＬの下方５２．０μｍまでの組織を表す正面画像ＦＯ２が正面画像表示領域１０３０に表示され、ＢＭからＢＭの下方５２．０μｍまでの組織を表す正面画像ＦＯ３が正面画像表示領域１０４０に表示されている。
【００５２】
更に、図３に示す表示例においては、アンギオグラムモードの場合と同様に、ＢモードアンギオグラムＢＡがＢモードアンギオグラム表示領域１０５０に表示され、Ｂモード画像（ＢモードＯＣＴ画像）ＢＯがＢモード画像表示領域１０６０に表示されている。ＢモードアンギオグラムＢＡとＢモード画像ＢＯは同じ断面を表している。
【００５３】
正面画像表示領域１０２０に表示された正面画像ＦＯ１には、断面位置マーカＣＰＭがオーバレイ表示されている。この断面位置マーカＣＰＭは、ＢモードアンギオグラムＢＡ及びＢモード画像ＢＯの断面に対応する正面画像ＦＯ１内の位置を示している。同様の断面位置マーカを正面画像ＦＯ２及び／又はＦＯ３にオーバレイ表示することもできる。断面位置マーカＣＰＭの不透明度（α値）は任意である。
【００５４】
ＢモードアンギオグラムＢＡ及びＢモード画像ＢＯには、境界マーカＵＢＭ及びＬＢＭがオーバレイ表示されている。境界マーカＵＢＭは、正面画像ＦＯ１のスライスの上端のバウンダリに対応するＢモードアンギオグラムＢＡ内の位置を示している。境界マーカＬＢＭは、正面画像ＦＯ１のスライスの下端のバウンダリに対応するＢモードアンギオグラムＢＡ内の位置を示している。Ｂモード画像ＢＯにも同様の境界マーカがオーバレイ表示されている。境界マーカＵＢＭ及びＬＢＭの不透明度（α値）は任意である。
【００５５】
正面画像ＦＯ１（ＦＯ２、ＦＯ３）と、ＢモードアンギオグラムＢＡと、Ｂモード画像ＢＯとは同じ３次元データセットから形成された画像であるから、このような位置の対応付けを行うことは容易である。
【００５６】
アンギオグラムモードの場合と同様に、ユーザは、断面位置マーカＣＰＭを移動させるための指示を操作部５０を用いて行うことができる。表示制御部１１は、当該操作に応じて、断面位置マーカＣＰＭの表示位置の変更と、ＢモードアンギオグラムＢＡ及びＢモード画像ＢＯのそれぞれの表示の更新とを同期的に実行する。更に、正面画像表示領域１０２０とＢモードアンギオグラム表示領域１０５０との間に設けられたソフトキー群により正面画像ＦＯ１の表示条件（上端のバウンダリ及び下端のバウンダリ）が変更されると、表示制御部１１は、変更後の上端のバウンダリに対応する位置に境界マーカＵＢＭを表示させ、変更後の下端のバウンダリに対応する位置に境界マーカＬＢＭを表示させる。この表示制御は、正面画像ＦＯ１の表示条件の変更と並行してリアルタイムで実行される。
【００５７】
ユーザが操作部５０を用いて操作領域１０１０の「ＯＫ」ボタンをクリックすると、表示制御部１１は、サマリ画面１０００に替えて、ＧＵＩテンプレート２１に含まれる詳細画面テンプレートに基づいて図４又は図５に示す詳細観察画面２０００を表示させる。図４に示す詳細観察画面２０００はアンギオグラムモードの画面であり、図５に示す詳細観察画面２０００はＯＣＴモードの画面である。たとえば、サマリ画面１０００の操作領域１０１０の「ＯＫ」ボタンがクリックされたときのモードがアンギオグラムモードであった場合、表示制御部１１は、図４に示すアンギオグラムモードの詳細観察画面２０００を表示させ、「ＯＫ」ボタンがクリックされたときのモードがＯＣＴモードであった場合、表示制御部１１は、図５に示すＯＣＴモードの詳細観察画面２０００を表示させる。ユーザは、ＡｎｇｉｏｇｒａｍモードとＯＣＴモードとを任意に切り替えながら、眼底の血管の状態と眼底の形態とを観察することができる。
【００５８】
詳細観察画面２０００には、各種操作を行うためのソフトキーが設けられた操作領域２０１０が設けられている。操作領域２０１０には、操作モードを切り替えるための、次に示す４つのタブが設けられている：
画像に対する操作を行うための「Ｉｍａｇｅ  Ｏｐｅｒａｔｉｏｎ」タブ；
各種計測を行うための「Ｃａｌｉｐｅｒ」タブ；
画質を調整するための「Ｉｍａｇｅ  Ｑｕａｌｉｔｙ」タブ；
設定情報を提示する「Ｓｅｔｔｉｎｇ  Ｉｎｆｏ」タブ。
ユーザが所望の操作モードに対応するタブを操作部５０を用いてクリックすると、表示制御部１１は、クリックされたタブに対応する操作画面を操作領域２０１０に表示させる。
【００５９】
図４に示すアンギオグラムモードの詳細観察画面２０００においては、「Ｉｍａｇｅ  Ｏｐｅｒａｔｉｏｎ」タブが選択されている。この場合、操作領域２０１０には次のようなソフトキー等が設けられている：
スライスの向きの固定／可変を切り替えるための「Ｓｌａｎｔｉｎｇ」チェックボックス（チェックを入れると、スライスの向きを任意に変更できる）；
スライスの位置や向きの設定の履歴を提示するための「Ｈｉｓｔｏｒｙ」ボタン；
基準となるバウンダリ（ベースレイヤ）を設定するための「Ｂａｓｅ  Ｌａｙｅｒ」プルダウンメニュー；
「Ｂａｓｅ  Ｌａｙｅｒ」プルダウンメニューにより設定されたベースレイヤが平坦化されるようにＢモード画像に平坦化処理を施すための「Ｆｌａｔｔｅｎｉｎｇ」チェックボックス（チェックを入れると、表示されているＢモード画像（ＢモードアンギオグラムＣＡ等）が平坦化される）；
表示画像又は３次元データセットに対する補間処理のオン／オフを切り替えるための「Ｉｎｔｅｒｐｏｌａｔｉｏｎ  ＯＮ／ＯＦＦ」チェックボックス；
正面画像を形成するためのＭＩＰ処理の画像化範囲（スライス）を設定するための「ＭＩＰ  ｒａｎｇｅ」スライダ及び設定値表示部（指定された深さ位置を中心に、ピクセル単位でスライス厚を指定できる）；
表示される画像（たとえばＢモード画像）のアスペクト比を設定するための「Ａｓｐｅｃｔ  ｒａｔｉｏ」プルダウンメニュー；
現在の設定が適用された画像で表示を更新するための「Ｕｐｄａｔｅ」ボタン；
眼底のバウンダリの位置を示す境界マーカのＢモード画像上へのオーバレイ表示のオン／オフを切り替えるための「Ｌａｙｅｒ  ＯＮ／ＯＦＦ」ボタン；
Ｂモード画像の断面の位置を示す断面位置マーカの正面画像上へのオーバレイ表示のオン／オフを切り替えるための「Ｌｉｎｅ  ＯＮ／ＯＦＦ」ボタン；
正面画像の表示形態を切り替えるための、「Ｅｎ−ｆａｃｅ」枠内の疑似カラー表示ボタン、白黒ボタン及び白黒反転ボタン；
Ｂモード画像の表示形態を切り替えるための、「Ｂ−Ｓｃａｎ」枠内の疑似カラー表示ボタン、白黒ボタン及び白黒反転ボタン；
画像表示モードを切り替えるための「ＯＣＴ」モードボタン及び「Ａｎｇｉｏｇｒａｍ」モードボタン；
積分画像を出力するための「Ｉｎｔｅｇｒａｔｅｄ  ｉｍａｇｅ  ｏｕｔ」ボタン；
詳細観察画面２０００に表示された画像や情報をエクスポートするための「Ｅｘｐｏｒｔ」ボタン；
動画を保存するための「Ｍｏｖｉｅ」ボタン；
スクリーンショットを行うための「Ｓｃｒｅｅｎｓｈｏｔ」ボタン。
なお、他のタブが選択されているときの操作領域２０１０の構成については後述する。
【００６０】
図５に示すＯＣＴモードの操作領域２０１０には、「ＭＩＰ  ｒａｎｇｅ」スライダ及び設定値表示部の代わりに、正面画像を形成するための平均化処理の画像化範囲（スライス）を設定するための「Ａｖｅｒａｇｉｎｇ」スライダ及び設定値表示部が設けられている（指定された深さ位置を中心に、ピクセル単位でスライス厚を指定できる）。
【００６１】
サマリ画面１０００の操作領域１０１０の「ＯＫ」ボタンがクリックされたときのサマリ画面１０００における設定内容の少なくとも一部を、操作領域２０１０における初期設定に反映させることが可能である。サマリ画面１０００における設定が反映される詳細観察画面２０００の設定の例として、「Ａｓｐｅｃｔ  ｒａｔｉｏ」プルダウンメニューの設定、「Ｌａｙｅｒ  ＯＮ／ＯＦＦ」ボタンの設定、「Ｌｉｎｅ  ＯＮ／ＯＦＦ」ボタンの設定、「Ｅｎ−ｆａｃｅ」枠内の疑似カラー表示ボタン、白黒ボタン及び白黒反転ボタンの設定、「Ｂ−Ｓｃａｎ」枠内の疑似カラー表示ボタン、白黒ボタン及び白黒反転ボタンの設定、「ＯＣＴ」モードボタン及び「Ａｎｇｉｏｇｒａｍ」モードボタンの設定などがある。
【００６２】
図４に示すアンギオグラムモードの詳細観察画面２０００のレイアウト等について説明する。詳細観察画面２０００の中央上部には正面画像表示領域２０２０が設けられ、その右方にも正面画像表示領域２０３０が設けられている。正面画像表示領域２０２０の下方にはＢモード画像表示領域２０４０が配置されている。また、正面画像表示領域２０３０の下方、かつ、Ｂモード画像表示領域２０４０の右方には、操作領域２０１０が配置されている。
【００６３】
正面画像表示領域２０２０及び２０３０には、被検眼の異なる部位をそれぞれ表す２つの正面アンギオグラムＧＡ１及びＧＡ２が表示される。図４に示す表示例では、操作領域２０１０の「ＭＩＰ  ｒａｎｇｅ」スライダを用いて設定されたスライスをＭＩＰ処理して形成された正面アンギオグラムＧＡ１が正面画像表示領域２０２０に表示される。更に、表示制御部１１は、「ＭＩＰ  ｒａｎｇｅ」スライダを用いて設定されたスライスの範囲を示すスライスマーカＳＭをＢモード画像表示領域２０４０に表示されているＢモード画像（ＢモードアンギオグラムＣＡ）にオーバレイ表示させる。
【００６４】
正面画像表示領域２０３０と操作領域２０１０との間には、正面画像表示領域２０３０に表示される画像に関する操作を行うためのソフトキー群が設けられている。このソフトキー群には、スライスの両端となるバウンダリの種別を選択するための２つのプルダウンメニューが設けられている。これらプルダウンメニューにおけるバウンダリの選択肢は、たとえば、サマリ画面１０００の場合と同様に、ＩＬＭ、ＮＦＬ／ＧＣＬ、ＩＰＬ／ＩＮＬ、ＩＳ／ＯＳ、ＲＰＥ、ＢＭ、ＣＳＩなどである。ユーザがこれらプルダウンメニューのそれぞれにおいて所望のバウンダリを設定すると、データ処理部４０は、３次元データセットのセグメンテーションの結果から、設定された２つのバウンダリを特定し、これらバウンダリに挟まれた画像領域にＭＩＰ処理又は平均化処理を施して正面画像を形成する。表示制御部１１は、形成された正面画像を正面画像表示領域２０３０に表示させる。また、これらプルダウンメニューの右方には、シャドウグラムをエクスポートするための「Ｓｈａｄｏｗｇｒａｍ  Ｅｘｐｏｒｔ」ボタンが設けられている。
【００６５】
更に、詳細観察画面２０００の左端部には、正面画像に関する各種設定を行うための３つの画像設定領域２０５０、２０６０及び２０７０が設けられている。各画像設定領域２０５０〜２０７０には、正面画像が表示される領域と、これに表示されている正面画像に対する設定を行うためのソフトキー群とが設けられている。各画像設定領域２０５０〜２０７０に表示される正面画像は、アンギオグラムモードでは正面アンギオグラムであり、ＯＣＴモードでは正面ＯＣＴ画像（Ｃモード画像、シャドウグラム、プロジェクション画像等）である。
【００６６】
図４に示すアンギオグラムモードの表示例では、画像設定領域２０５０には正面アンギオグラムＨＡ１が表示され、画像設定領域２０６０には正面アンギオグラムＨＡ２が表示され、画像設定領域２０７０には正面アンギオグラムＨＡ３が表示されている。なお、詳細観察画面２０００への移行時に、サマリ画面１０００の正面画像表示領域１０２０〜１０４０の少なくとも１つに表示されていた正面画像を画像設定領域２０６０に表示させ、かつ、その設定を画像設定領域２０６０のソフトキー群に反映させてよい。
【００６７】
また、各画像設定領域２０５０〜２０７０のソフトキー群には、次のようなソフトキー等が含まれている：
ベースとなるバウンダリ（ベースレイヤ）を設定するためのプルダウンメニュー（選択肢は、たとえば、ＩＬＭ、ＮＦＬ／ＧＣＬ、ＩＰＬ／ＩＮＬ、ＩＳ／ＯＳ、ＲＰＥ、ＢＭ、ＣＳＩなどである）；
当該画像設定領域（２０５０、２０６０又は２０７０）に表示される正面画像を形成するためのＭＩＰ処理のスライスを設定するための数値設定用ソフトキー及びスライス厚表示部（これらソフトキーは、ベースレイヤに対する上方のオフセット及び下方のオフセットの設定に使用される。それにより設定されたスライス厚が単位μｍに換算されてスライス厚表示部に表示される）；
上記ソフトキー群により設定されたスライスを適用したＭＩＰ処理により形成された正面画像を当該画像設定領域に表示するための「Ａｐｐｌｙ」ボタン；
当該画像設定領域に表示されている正面画像を正面画像表示領域２０２０に表示させるための「Ｒｅｆｌｅｃｔ」ボタン。
【００６８】
「Ａｐｐｌｙ」ボタンがクリックされると、データ処理部４０は、ソフトキー群により設定されたスライス（３次元データセットの一部）に対してＭＩＰ処理を施すことにより、新たな正面アンギオグラムを形成する。表示制御部１１は、この新たな正面アンギオグラムを当該画像設定領域に表示させる。それにより、当該画像設定領域に表示される正面アンギオグラムの表示が更新される。
【００６９】
また、「Ａｐｐｌｙ」ボタンがクリックされたときに、制御部１０は、このスライスの設定（３次元データセットにおける当該スライスの位置）を記憶部２０に記憶させることができる。このとき、制御部１０は、このスライスの設定を当該３次元データセットに関連付けて記憶させることができる。また、スライスの設定日時や、並行して参照されている情報（画像データ等）のような任意の情報に、スライスの設定を関連付けることも可能である。今回の画像診断（読影）の終了後、当該被検眼の観察のために詳細観察画面２０００が再度起動されたとき、次の処理を実行することができる。まず、制御部１０がスライスの設定を記憶部２０から読み出してデータ処理部４０に送る。データ処理部４０は、このスライスの設定に関連付けられた３次元データセット又は新たに取得された３次元データセットに対し、読み出されたスライスの設定に基づくＭＩＰ処理を施す。表示制御部１１は、それにより形成された正面アンギオグラムを画像設定領域に表示させる。このような処理により、過去に表示された正面アンギオグラムを再度表示させることや、過去に適用されたスライスの設定を再度適用して新たな正面アンギオグラムを作成することが可能となる。
【００７０】
「Ｒｅｆｌｅｃｔ」ボタンがクリックされると、表示制御部１１は、正面画像表示領域２０２０に表示されている正面アンギオグラムＧＡ１を、当該画像設定領域に表示されている正面アンギオグラム（たとえばＨＡ１）に置き換える（つまり、新たな正面アンギオグラムＧＡ１に更新される）。同時に、表示制御部１１は、この新たな正面アンギオグラムＧＡ１（たとえば正面アンギオグラムＨＡ１）の設定を、Ｂモード画像表示領域２０４０に表示されているＢモードアンギオグラムＣＡと、操作領域２０１０とに反映させる。たとえば、表示制御部１１は、ソフトキー群により設定されたスライスを示すスライスマーカＳＭをＢモードアンギオグラムＣＡにオーバレイ表示させ、かつ、ソフトキー群による設定内容を操作領域２０１０の「ＭＩＰ  ｒａｎｇｅ」スライダ等に反映させることができる。
【００７１】
正面画像表示領域２０２０に表示された正面アンギオグラムＧＡ１には、断面位置マーカＣＰＭがオーバレイ表示されている。断面位置マーカＣＰＭは、ＢモードアンギオグラムＣＡの断面に対応する正面アンギオグラムＧＡ１内の位置を示している。同様の断面位置マーカを正面アンギオグラムＧＡ２にオーバレイ表示することもできる。断面位置マーカＣＰＭの不透明度（α値）は任意である。
【００７２】
また、前述のように、ＢモードアンギオグラムＣＡには、帯状のスライスマーカＳＭがオーバレイ表示されている。スライスマーカＳＭは、正面アンギオグラムＧＡ１のスライスに対応するＢモードアンギオグラムＣＡ内の位置を示している。スライスマーカＳＭの不透明度（α値）は任意である。更に、ＢモードアンギオグラムＣＡには、操作領域２０１０と正面画像表示領域２０３０との間に設けられたソフトキー群にて設定されたバウンダリに相当するＢモードアンギオグラムＣＡ内の位置を示すバウンダリマーカＢＭがオーバレイ表示される。
【００７３】
正面アンギオグラムＧＡ１とＢモードアンギオグラムＣＡとは同じ３次元データセットから形成された画像であるから、スライスマーカＳＭを表示するための位置の対応付けを行うことは容易である。
【００７４】
ユーザは、断面位置マーカＣＰＭを移動させるための指示を操作部５０を用いて行うことができる。表示制御部１１は、当該操作に応じて、断面位置マーカＣＰＭの表示位置の変更と、ＢモードアンギオグラムＣＡの表示の更新とを同期的に実行する。断面位置マーカＣＰＭを移動させるための操作は、たとえば、マウスを用いた断面位置マーカＣＰＭのドラッグ操作である。表示制御部１１は、このドラッグ操作の移動方向にその移動量だけ断面位置マーカＣＰＭの表示位置をリアルタイムで変更する。この表示制御と並行して、データ処理部４０は、断面位置マーカＣＰＭの新たな位置を断面とするＢモードアンギオグラムＣＡを形成し、表示制御部１１は、新たに形成されたＢモードアンギオグラムＣＡをＢモード画像表示領域２０４０に表示させる。或いは、この画像を予め形成して記憶部２０に保存しておき、それを読み出して表示させるようにしてもよい。これにより、ＢモードアンギオグラムＣＡの表示が更新される。
【００７５】
また、ユーザは、スライスマーカＳＭを移動させるための指示を操作部５０を用いて行うことができる。表示制御部１１は、当該操作に応じて、スライスマーカＳＭの表示位置の変更と、正面アンギオグラムＧＡ１の表示の更新とを同期的に実行する。スライスマーカＳＭを移動させるための操作は、たとえば、マウスを用いたスライスマーカＳＭのドラッグ操作である。表示制御部１１は、このドラッグ操作の移動方向にその移動量だけスライスマーカＳＭの表示位置をリアルタイムで変更する。この表示制御と並行して、データ処理部４０は、スライスマーカＳＭが示す新たな範囲をスライスとする正面アンギオグラムＧＡ１を形成し、表示制御部１１は、新たに形成された正面アンギオグラムＧＡ１を正面画像表示領域２０２０に表示させる。これにより、正面アンギオグラムＧＡ１の表示が更新される。
【００７６】
「Ｓｌａｎｔｉｎｇ」チェックボックスにチェックが入っているときには、スライスマーカＳＭの向きを変更することが可能である。スライスマーカＳＭの向きを変更するための操作をユーザが操作部５０を用いて行うと、表示制御部１１は、当該操作に応じて、スライスマーカＳＭの表示位置（向き）の変更と、正面アンギオグラムＧＡ１の表示の更新とを同期的に実行する。スライスマーカＳＭを移動させるための操作は、たとえばスライスマーカＳＭに対するドラッグ操作である。表示制御部１１は、このドラッグ操作の移動方向にその移動角度だけスライスマーカＳＭの表示位置をリアルタイムで回転する。この表示制御と並行して、データ処理部４０は、スライスマーカＳＭが示す新たな範囲をスライスとする正面アンギオグラムＧＡ１を形成し、表示制御部１１は、新たに形成された正面アンギオグラムＧＡ１を正面画像表示領域２０２０に表示させる。これにより、正面アンギオグラムＧＡ１の表示が更新される。
【００７７】
なお、スライス厚を保持した状態でのスライスマーカＳＭの移動だけでなく、スライスマーカＳＭの上端及び／又は下端をドラッグ操作等することでスライス厚を変更できるように構成することも可能である。この場合においても、スライスマーカＳＭの表示制御と、正面アンギオグラムＧＡ１の表示の更新とを同期的に実行することが可能である。
【００７８】
図５に示すＯＣＴモードの詳細観察画面２０００について説明する。なお、特に言及しない限り、ＯＣＴモードの詳細観察画面２０００の構成や、それに関するデータ処理及び制御は、アンギオグラムモードの場合と同様である。
【００７９】
ＯＣＴモードの詳細観察画面２０００において、画像の表示領域やソフトキーのレイアウトはアンギオグラムモードの場合と同様である。正面画像表示領域２０２０及び２０３０には、被検眼の異なる部位をそれぞれ表す２つの正面画像（Ｃモード画像、シャドウグラム等の正面ＯＣＴ画像）ＧＯ１及びＧＯ２が表示される。図５に示す表示例では、操作領域２０１０の「Ａｖｅｒａｇｉｎｇ」スライダを用いて設定されたスライスを投影して形成された正面画像ＧＯ１が正面画像表示領域２０２０に表示される。更に、表示制御部１１は、「Ａｖｅｒａｇｉｎｇ」スライダを用いて設定されたスライスの範囲を示すスライスマーカＳＭをＢモード画像表示領域２０４０に表示されているＢモード画像（ＢモードＯＣＴ画像ＣＯ）にオーバレイ表示させる。
【００８０】
アンギオグラムモードの場合と同様に、正面画像表示領域２０３０と操作領域２０１０との間には、正面画像表示領域２０３０に表示される画像に関する操作を行うためのソフトキー群が設けられている。ユーザが各プルダウンメニューにおいて所望のバウンダリを設定すると、データ処理部４０は、３次元データセットのセグメンテーションの結果から、設定された２つのバウンダリを特定し、これらバウンダリに挟まれた画像領域に平均化処理（投影処理）を施して正面画像を形成する。表示制御部１１は、形成された正面画像を正面画像表示領域２０３０に表示させる。
【００８１】
詳細観察画面２０００の左端部に設けられた３つの画像設定領域２０５０、２０６０及び２０７０のそれぞれには、正面画像が表示される領域と、これに表示されている正面画像に対する設定を行うためのソフトキー群とが設けられている。画像設定領域２０５０には正面画像ＨＯ１が表示され、画像設定領域２０６０には正面画像ＨＯ２が表示され、画像設定領域２０７０には正面画像ＨＯ３が表示されている。
【００８２】
また、各画像設定領域２０５０〜２０７０のソフトキー群には、次のようなソフトキー等が含まれている：
ベースレイヤを設定するためのプルダウンメニュー；
当該画像設定領域（２０５０、２０６０又は２０７０）に表示される正面画像を形成するための投影処理のスライスを設定するための数値設定用ソフトキー及びスライス厚表示部；
上記ソフトキー群により設定されたスライスを適用した投影処理により形成された正面画像を当該画像設定領域に表示するための「Ａｐｐｌｙ」ボタン；
当該画像設定領域に表示されている正面画像を正面画像表示領域２０２０に表示させるための「Ｒｅｆｌｅｃｔ」ボタン。
【００８３】
「Ａｐｐｌｙ」ボタンがクリックされると、データ処理部４０は、ソフトキー群により設定されたスライス（３次元データセットの一部）に対して投影処理を施すことにより、新たな正面画像を形成する。表示制御部１１は、この新たな正面画像を当該画像設定領域に表示させる。それにより、当該画像設定領域に表示される正面画像の表示が更新される。
【００８４】
また、「Ａｐｐｌｙ」ボタンがクリックされたときに、制御部１０は、このスライスの設定（３次元データセットにおける当該スライスの位置）を記憶部２０に記憶させることができる。このとき、制御部１０は、当該３次元データセットや、スライスの設定日時や、並行して参照されている情報（画像データ等）のような任意の情報に、スライスの設定を関連付けることも可能である。それにより、アンギオグラムモードの場合と同様に、過去に表示された正面画像を再度表示させることや、過去に適用されたスライスの設定を再度適用して新たな正面画像を作成することが可能となる。
【００８５】
「Ｒｅｆｌｅｃｔ」ボタンがクリックされると、表示制御部１１は、正面画像表示領域２０２０に表示されている正面画像ＧＯ１を、当該画像設定領域に表示されている正面画像ＨＯ（たとえばＨＯ１）に置き換える。同時に、表示制御部１１は、この新たな正面画像ＧＯ１（たとえば正面画像ＨＯ１）の設定を、Ｂモード画像表示領域２０４０に表示されているＢモード画像ＣＯと、操作領域２０１０とに反映させる。たとえば、表示制御部１１は、ソフトキー群により設定されたスライスを示すスライスマーカＳＭをＢモード画像ＣＯにオーバレイ表示させ、かつ、ソフトキー群による設定内容を操作領域２０１０の「Ａｖｅｒａｇｉｎｇ」スライダ等に反映させることができる。
【００８６】
正面画像表示領域２０２０に表示された正面画像ＧＯ１には、断面位置マーカＣＰＭがオーバレイ表示されている。断面位置マーカＣＰＭは、Ｂモード画像ＣＯの断面に対応する正面画像ＧＯ１内の位置を示している。同様の断面位置マーカを正面画像ＧＯ２にオーバレイ表示することもできる。断面位置マーカＣＰＭの不透明度（α値）は任意である。
【００８７】
また、前述のように、Ｂモード画像ＣＯには、帯状のスライスマーカＳＭがオーバレイ表示されている。スライスマーカＳＭは、正面画像ＧＯ１のスライスに対応するＢモード画像ＣＯ内の位置を示している。スライスマーカＳＭの不透明度（α値）は任意である。更に、Ｂモード画像ＣＯには、境界マーカＵＢＭ及びＬＢＭがオーバレイ表示されている。境界マーカＵＢＭは、正面画像ＧＯ１のスライスの上端のバウンダリに対応するＢモード画像ＣＯ内の位置を示している。境界マーカＬＢＭは、正面画像ＧＯ１のスライスの下端のバウンダリに対応するＢモード画像ＣＯ内の位置を示している。
【００８８】
正面画像ＧＯ１とＢモード画像ＣＯとは同じ３次元データセットから形成された画像であるから、スライスマーカＳＭを表示するための位置の対応付けを行うことは容易である。
【００８９】
ユーザは、断面位置マーカＣＰＭを移動させるための指示を操作部５０を用いて行うことができる。表示制御部１１は、当該操作に応じて、断面位置マーカＣＰＭの表示位置の変更と、Ｂモード画像ＣＯの表示の更新とを同期的に実行する。断面位置マーカＣＰＭを移動させるための操作は、たとえば、マウスを用いた断面位置マーカＣＰＭのドラッグ操作である。表示制御部１１は、このドラッグ操作の移動方向にその移動量だけ断面位置マーカＣＰＭの表示位置をリアルタイムで変更する。この表示制御と並行して、データ処理部４０は、断面位置マーカＣＰＭの新たな位置を断面とするＢモード画像ＣＯを形成し、表示制御部１１は、新たに形成されたＢモード画像ＣＯをＢモード画像表示領域２０４０に表示させる。これにより、Ｂモード画像ＣＯの表示が更新される。
【００９０】
また、ユーザは、スライスマーカＳＭを移動させるための指示を操作部５０を用いて行うことができる。表示制御部１１は、当該操作に応じて、スライスマーカＳＭの表示位置の変更と、正面画像ＧＯ１の表示の更新とを同期的に実行する。スライスマーカＳＭを移動させるための操作は、たとえば、マウスを用いたスライスマーカＳＭのドラッグ操作である。表示制御部１１は、このドラッグ操作の移動方向にその移動量だけスライスマーカＳＭの表示位置をリアルタイムで変更する。この表示制御と並行して、データ処理部４０は、スライスマーカＳＭが示す新たな範囲をスライスとする正面画像ＧＯ１を形成し、表示制御部１１は、新たに形成された正面画像ＧＯ１を正面画像表示領域２０２０に表示させる。これにより、正面画像ＧＯ１の表示が更新される。
【００９１】
「Ｓｌａｎｔｉｎｇ」チェックボックスにチェックが入っているときには、スライスマーカＳＭの向きを変更することが可能である。スライスマーカＳＭの向きを変更するための操作をユーザが操作部５０を用いて行うと、表示制御部１１は、当該操作に応じて、スライスマーカＳＭの表示位置（向き）の変更と、正面画像ＧＯ１の表示の更新とを同期的に実行する。スライスマーカＳＭを移動させるための操作は、たとえばスライスマーカＳＭに対するドラッグ操作である。表示制御部１１は、このドラッグ操作の移動方向にその移動角度だけスライスマーカＳＭの表示位置をリアルタイムで回転する。この表示制御と並行して、データ処理部４０は、スライスマーカＳＭが示す新たな範囲をスライスとする正面画像ＧＯ１を形成し、表示制御部１１は、新たに形成された正面画像ＧＯ１を正面画像表示領域２０２０に表示させる。これにより、正面画像ＧＯ１の表示が更新される。
【００９２】
なお、スライス厚を保持した状態でのスライスマーカＳＭの移動だけでなく、スライスマーカＳＭの上端及び／又は下端をドラッグ操作等することでスライス厚を変更できるように構成することも可能である。この場合においても、スライスマーカＳＭの表示制御と、正面画像ＧＯ１の表示の更新とを同期的に実行することが可能である。
【００９３】
前述したように、操作領域２０１０の上部には４つのタブが設けられている。具体的には、画像に対する操作を行うための「Ｉｍａｇｅ  Ｏｐｅｒａｔｉｏｎ」タブと、各種計測を行うための「Ｃａｌｉｐｅｒ」タブと、画質を調整するための「Ｉｍａｇｅ  Ｑｕａｌｉｔｙ」タブと、設定情報を提示する「Ｓｅｔｔｉｎｇ  Ｉｎｆｏ」タブとが設けられている。「Ｉｍａｇｅ  Ｏｐｅｒａｔｉｏｎ」タブが選択されている場合の操作領域２０１０の構成及びそれに関連する操作や制御やデータ処理については、図４及び図５の参照とともに前述した。以下、他のタブが選択された場合における操作領域２０１０の構成及びそれに関連する操作や制御やデータ処理について説明する。
【００９４】
以下に示す図面（図６〜図８）は、図４に示すアンギオグラムモードの詳細観察画面２０００（「Ｉｍａｇｅ  Ｏｐｅｒａｔｉｏｎ」タブが選択されている）において他のタブがクリックされたときに表示される画面の例を表している。なお、操作領域２０１０以外の部分に関する説明は省略する。
【００９５】
図６は、「Ｃａｌｉｐｅｒ」タブが選択されたときの詳細観察画面２０００を示す。「Ｃａｌｉｐｅｒ」機能は、正面画像表示領域２０２０及びＢモード画像表示領域２０４０に表示されている画像に描出されている部位の計測に用いられる。この詳細観察画面２０００における操作領域２０１０には次のようなソフトキー等が設けられている：
長さの計測を行うための「Ｌｅｎｇｔｈ」チェックボックス；
角度の計測を行うための「Ａｎｇｌｅ」チェックボックス；
面積の計測を行うための「Ａｒｅａ」チェックボックス；
最後に実行された計測の結果を削除するための「Ｄｅｌｅｔｅ  Ｌａｓｔ」ボタン；
実行された全ての計測の結果を削除するための「Ｄｅｌｅｔｅ  Ａｌｌ」ボタン；
正面画像表示領域２０２０に表示されている断面位置マーカＣＰＭを上下方向（Ｙ方向）に移動するための「Ｓｌｉｃｅ  Ｙ」スライダ；
Ｂモード画像表示領域２０４０に表示されているスライスマーカＳＭを深さ方向（Ｚ方向）に移動するための「Ｓｌｉｃｅ  Ｚ」スライダ；
積分画像を出力するための「Ｉｎｔｅｇｒａｔｅｄ  ｉｍａｇｅ  ｏｕｔ」ボタン；
詳細観察画面２０００に表示された画像や情報をエクスポートするための「Ｅｘｐｏｒｔ」ボタン；
動画を保存するための「Ｍｏｖｉｅ」ボタン；
スクリーンショットを行うための「Ｓｃｒｅｅｎｓｈｏｔ」ボタン。
【００９６】
「Ｌｅｎｇｔｈ」チェックボックスにチェックが入力されると、表示制御部１１は、たとえば、長さ計測を行うための長さ計測マーカ（ゲージ）を表示画像（正面画像、Ｂモード画像等）にオーバレイ表示させる。長さ計測マーカは、たとえば線分状の画像である。ユーザは、操作部５０を用いて、長さ計測マーカの位置や長さ（端点の位置）を変更することができる。ユーザが表示画像中の所望の位置に長さ計測マーカを配置させると、データ処理部４０は、そのときの長さ計測マーカの長さに相当する実寸法（単位μｍ、ｍｍ等）を求める。制御部１０は、データ処理部４０により求められた実寸法のデータを、長さ計測マーカ（の両端）が配置されている表示画像中の位置に関連付けて記憶部２０に記憶させる。
【００９７】
長さを計測するためのインターフェイスはこれに限定されない。たとえば、ユーザが表示画像中の所望の２点をクリックすることにより、長さを計測する位置が指定されるように構成することが可能である。また、２点間の直線的な距離を計測するだけでなく、所定の曲線や曲面に沿った長さを計測することも可能である。たとえば、所定の層やバウンダリや血管や病変部に沿って長さを計測するように構成できる。
【００９８】
「Ａｎｇｌｅ」チェックボックスにチェックが入力されると、表示制御部１１は、たとえば、角度計測を行うための角度計測マーカ（ゲージ）を表示画像（正面画像、Ｂモード画像等）にオーバレイ表示させる。角度計測マーカは、たとえば、正三角形から一辺を除いた形状の画像である。ユーザは、操作部５０を用いて、角度計測マーカの位置や、それを形成する２辺がなす角度を変更することができる。ユーザは、表示画像中の所望の位置に角度計測マーカを配置させ、角度計測マーカを形成する２辺がなす角度を描出組織の形状に合わせて調整する。データ処理部４０は、角度計測マーカを形成する２辺がなす角度を求める。制御部１０は、データ処理部４０により求められた角度のデータを、角度計測マーカ（を形成する２辺）が配置されている表示画像中の位置に関連付けて記憶部２０に記憶させる。
【００９９】
角度を計測するためのインターフェイスはこれに限定されない。たとえば、ユーザが表示画像中の所望の３点をクリックすることにより、又は、二本の線分を表示画像上に描くことにより、角度を計測する位置が指定されるように構成することが可能である。また、平面上の角度を計測するだけでなく、立体角（Ｓｏｌｉｄ  Ａｎｇｌｅ）を計測できるように構成することも可能である。
【０１００】
「Ａｒｅａ」チェックボックスにチェックが入力されると、表示制御部１１は、たとえば、面積計測を行うための面積計測マーカ（ゲージ）を表示画像（正面画像、Ｂモード画像等）にオーバレイ表示させる。面積計測マーカは、たとえば任意の２次元形状の画像である。ユーザは、操作部５０を用いて、面積計測マーカの位置や形状やサイズ（輪郭の位置）を変更することができる。ユーザが表示画像中の所望の位置に面積計測マーカを配置させると、データ処理部４０は、そのときの面積計測マーカの形状やサイズに相当する実寸法（単位μｍ２、ｍｍ２等）を求める。制御部１０は、データ処理部４０により求められた実寸法のデータを、面積計測マーカが配置されている表示画像中の位置に関連付けて記憶部２０に記憶させる。なお、面積を計測するためのインターフェイスはこれに限定されない。また、体積を計測できるように構成することも可能である。
【０１０１】
図７は、「Ｉｍａｇｅ  Ｑｕａｌｉｔｙ」タブが選択されたときの詳細観察画面２０００を示す。この詳細観察画面２０００における操作領域２０１０には次のようなソフトキー等が設けられている：
画像のコントラストを調整するための「Ｃｏｎｔｒａｓｔ」エリアの「Ｍｉｎ」スライダ及び「Ｍａｘ」スライダ、並びに設定値表示部；
画像の明るさ（輝度）を調整するための「Ｂｒｉｇｈｔｎｅｓｓ」スライダ及び数値設定用ソフトキー；
上記ソフトキーによる設定値を初期値に戻すための「Ｒｅｓｅｔ」ボタン；
最小強度の閾値を設定するための「Ｍｉｎ  Ｔｈｒｅｓｈ  Ｉｎｔｅｎｓｉｔｙ」数値設定用ソフトキーと、その設定を適用するための「Ａｐｐｌｙ」ボタン；
積分画像を出力するための「Ｉｎｔｅｇｒａｔｅｄ  ｉｍａｇｅ  ｏｕｔ」ボタン；
詳細観察画面２０００に表示された画像や情報をエクスポートするための「Ｅｘｐｏｒｔ」ボタン；
動画を保存するための「Ｍｏｖｉｅ」ボタン；
スクリーンショットを行うための「Ｓｃｒｅｅｎｓｈｏｔ」ボタン。
【０１０２】
図８は、「Ｓｅｔｔｉｎｇ  Ｉｎｆｏ」タブが選択されたときの詳細観察画面２０００を示す。この詳細観察画面２０００における操作領域２０１０には各種の情報表示部が設けられており、現在の設定値や設定状態が提示されている。
【０１０３】
［作用・効果］
実施形態に係る眼科画像表示装置の作用及び効果について説明する。
【０１０４】
実施形態の眼科画像表示装置（１）は、表示手段（表示デバイス２）に情報を表示させる表示制御部（１１）と、操作部（５０）とを少なくとも備える。
【０１０５】
表示制御部（１１）は、被検眼に対してＯＣＴを実行することにより収集された３次元データセット（ボリュームデータ、スタックデータ等）に基づきそれぞれ形成された、Ｂモード画像（ＢＯ）と、このＢモード画像（ＢＯ）と同じ断面を表す血管強調画像（ＢＡ）と、１以上の正面画像（ＦＡ１〜ＦＡ３、ＦＯ１〜ＦＯ３）とを、既定のレイアウトで表示させる（サマリ画面１０００）。ここで、「３次元データセットに基づき」は、「３次元データセットの全部に基づき」と「３次元データセットの一部に基づき」の双方を含む概念である。また、３次元データセットは、たとえば、複数のＢ断面をそれぞれ所定回数ずつスキャンして、各Ｂ断面のＢモード画像を所定枚数ずつ形成し、これらを同じ３次元座標系に埋め込むことによって（更に、それをボクセル化することによって）形成される。また、この３次元データセットにおける各Ｂ断面の複数のＢモード画像を位置合わせして得られた３次元データセットや、更に強調処理を施して得られた３次元データセットであってもよい。或いは、ＯＣＴスキャンの速度が十分に速い場合や、被検眼の固視やトラッキングが十分な精度で実行可能である場合などにおいては、被検眼の実質的に同じ３次元領域を繰り返しスキャンして得られた、時系列に並ぶ複数の３次元データセットを用いることができる。
【０１０６】
更に、表示制御部（１１）は、Ｂモード画像（ＢＯ）の断面の位置を示す断面位置マーカ（ＣＰＭ）を、１以上の正面画像（ＦＡ１〜ＦＡ３、ＦＯ１〜ＦＯ３）の少なくとも１つにオーバレイ表示させる。
【０１０７】
操作部（５０）を介して断面位置マーカ（ＣＰＭ）を移動させるための操作が行われると、表示制御部（１１）は、この操作に応じて、断面位置マーカ（ＣＰＭ）の表示位置の変更と、Ｂモード画像（ＢＯ）及び血管強調画像（ＢＡ）のそれぞれの表示の更新とを同期的に実行する。
【０１０８】
このような実施形態によれば、ユーザは、互いに同じ断面を表すＢモード画像（ＢＯ）及び血管強調画像（ＢＡ）と、１以上の正面画像（ＦＡ１〜ＦＡ３、ＦＯ１〜ＦＯ３）とを参照することができるので、総合的な眼科画像診断を提供することができる。また、ユーザは、Ｂモード画像（ＢＯ）と正面画像（ＦＡ１〜ＦＡ３、ＦＯ１〜ＦＯ３）との位置関係を、断面位置マーカ（ＣＰＭ）を介して容易に認識することが可能である。更に、断面位置マーカ（ＣＰＭ）の移動操作に伴ってＢモード画像（ＢＯ）及び血管強調画像（ＢＡ）により表される断面が自動的に変更されるので、所望の断面の観察を容易かつ迅速に行うことができる。たとえば、表示画像を適宜に切り替えつつ観察を行う場合において、前回や前々回に表示された画像を再度表示させたり、同様のパラメータ設定が適用された複数の画像を並べて表示させたりすることができるので、観察作業を円滑に行うことができる。
【０１０９】
実施形態の眼科画像表示装置は、次の要素を更に備えていてよい：３次元データセットを記憶する記憶部（２０）；この３次元データセットに基づいて、Ｂモード画像（ＢＯ）、血管強調画像（ＢＡ）及び正面画像（ＦＡ１〜ＦＡ３、ＦＯ１〜ＦＯ３）を形成する画像形成部（データ処理部４０）。
【０１１０】
このような記憶部と画像形成部とを含まない眼科画像表示装置の実施形態も、この発明に含まれる。そのような実施形態においては、記憶部と画像形成部は、眼科画像表示装置と通信可能な外部コンピュータに設けられる。眼科画像表示装置は、この外部コンピュータとリアルタイムで通信を行うことで、実施形態に係る各種処理を実行する。
【０１１１】
実施形態において、表示制御部（１１）は、上記正面画像として、Ｂモード画像（ＢＯ）の断面に交差する３次元データセットのスライスに基づく形態正面画像（ＦＯ１〜ＦＯ３）と、３次元データセットにおいて当該断面に交差するスライスに基づく血管強調正面画像（ＦＡ１〜ＦＡ３）とを表示可能である。それにより、被検眼の形態と血管の状態との双方を正面画像として観察することが可能である。
【０１１２】
なお、上記の実施形態では、ＯＣＴモードでは形態正面画像（ＦＯ１〜ＦＯ３）が表示され、アンギオグラムモードでは血管強調正面画像（ＦＡ１〜ＦＡ３）が表示される。つまり、上記の実施形態は、画像表示モードの選択に応じて、形態正面画像（ＦＯ１〜ＦＯ３）と血管強調正面画像（ＦＡ１〜ＦＡ３）とを切り替え表示するようになっている。他の実施形態として、１以上の形態正面画像と１以上の血管強調正面画像とを並べて表示可能なＧＵＩを提供することが可能である。
【０１１３】
実施形態において、表示制御部（１１）は、被検眼の２以上の異なる部位をそれぞれ表す２以上の正面画像（ＦＡ１〜ＦＡ３、ＦＯ１〜ＦＯ３）を並べて表示させる。それにより、被検眼の様々な部位を正面画像として同時に観察することが可能である。なお、上記の実施形態では、それぞれの正面画像により表される部位（組織、範囲）を任意に設定することが可能である。
【０１１４】
実施形態において、表示制御部（１１）は、正面画像（ＦＡ１〜ＦＡ３、ＦＯ１〜ＦＯ３）が表すスライスの範囲を変更するためのソフトキーを、正面画像（ＦＡ１〜ＦＡ３、ＦＯ１〜ＦＯ３）の隣接位置に表示させる。更に、表示制御部（１１）は、このソフトキーを介して行われた操作に応じて、対応する正面画像の表示を更新する。それにより、ユーザは、所望の正面画像を容易かつ迅速に表示させることが可能である。
【０１１５】
なお、上記の実施形態では、次の要素がこのソフトキーに相当する：
正面画像表示領域１０２０とＢモードアンギオグラム表示領域１０５０との間に設けられた、正面画像表示領域１０２０に表示される画像（ＦＡ１、ＦＯ１）に関する操作を行うためのソフトキー群；
正面画像表示領域１０３０とＢモード画像表示領域１０６０との間に設けられた、正面画像表示領域１０３０に表示される画像（ＦＡ２、ＦＯ２）に関する操作を行うためのソフトキー群；
正面画像表示領域１０４０と操作領域１０１０との間に設けられた、正面画像表示領域１０４０に表示される画像（ＦＡ３、ＦＯ３）に関する操作を行うためのソフトキー群。
各ソフトキー群には、スライスの上端及び下端を設定するための２つのプルダウンメニューと、各プルダウンメニューによる設定位置からのオフセットを設定するためのソフトキーとが設けられている。
【０１１６】
実施形態の眼科画像表示装置の他の態様について説明する。実施形態の眼科画像表示装置（１）は、表示手段（表示デバイス２）に情報を表示させる表示制御部（１１）と、操作部（５０）とを少なくとも備え、以下のような処理を実行可能である。
【０１１７】
表示制御部（１１）は、被検眼に対してＯＣＴを繰り返し実行することにより収集された３次元データセットに基づき形成された第１正面画像（ＨＡ１〜ＨＡ３、ＨＯ１〜ＨＯ３）を、そのスライスの範囲を変更するための第１ソフトキー（ソフトキー群）とともに第１表示領域（２０５０〜２０７０）に表示させる。また、表示制御部（１１）は、この３次元データセットに基づきそれぞれ形成された第２正面画像（ＧＡ１、ＧＯ１）及びＢモード画像（ＣＡ、ＣＯ）を第２表示領域（２０２０、２０４０）に表示させる。更に、表示制御部（１１）は、Ｂモード画像（ＣＡ、ＣＯ）の断面の位置を表す断面位置マーカ（ＣＰＭ）を第２正面画像（ＧＡ１、ＧＯ１）にオーバレイ表示させる。加えて、表示制御部（１１）は、この３次元データセットに基づき形成された第３正面画像（ＧＡ２、ＧＯ２）を、そのスライスの範囲を変更するための第２ソフトキー（ソフトキー群）とともに第３表示領域（２０３０）に表示させる。
【０１１８】
第１表示領域（２０５０〜２０７０）の第１ソフトキーを介して操作が行われると、表示制御部（１１）は、この操作に応じて第１正面画像（ＨＡ１〜ＨＡ３、ＨＯ１〜ＨＯ３）の表示を更新する。
【０１１９】
更に、第１正面画像（たとえばＨＡ１）のスライスの範囲を確定するための操作（「Ａｐｐｌｙ」ボタンに対する操作）が操作部（５０）を介して行われたとき、表示制御部（１１）は、当該第１正面画像（たとえばＨＡ１）を第２正面画像（たとえばＧＡ１）として第２表示領域（２０２０）に表示させ、かつ、当該第１正面画像（たとえばＨＡ１）のスライスの範囲を示すスライスマーカ（ＳＭ）をＢモード画像（たとえばＣＡ）にオーバレイ表示させる。
【０１２０】
操作部（５０）を介して断面位置マーカ（ＣＰＭ）を移動させるための操作が行われると、表示制御部（１１）は、この操作に応じて、断面位置マーカ（ＣＰＭ）の表示位置の変更と、Ｂモード画像（ＣＡ、ＣＯ）の表示の更新とを同期的に実行する。
【０１２１】
第３表示領域（２０３０）の第２ソフトキーを介して操作が行われると、表示制御部（１１）は、この操作に応じて第３正面画像（ＧＡ２、ＧＯ２）の表示を更新する。
【０１２２】
このような実施形態によれば、ユーザは、所望の第１正面画像（ＨＡ１〜ＨＡ３、ＨＯ１〜ＨＯ３）が得られるようにスライスを設定し、その第１正面画像（ＨＡ１〜ＨＡ３、ＨＯ１〜ＨＯ３）を第２正面画像（ＧＡ１、ＧＯ１）として（選択的に）表示させて観察することができる。更に、第２正面画像（ＧＡ１、ＧＯ１）に対して任意に断面を設定し、その断面を表すＢモード画像（ＣＡ、ＣＯ）を観察することが可能である。また、第２正面画像（ＧＡ１、ＧＯ１）のスライスの範囲を示すスライスマーカ（ＳＭ）がＢモード画像（ＣＡ、ＣＯ）上に提示される。したがって、第２正面画像（ＧＡ１、ＧＯ１）とＢモード画像（ＣＡ、ＣＯ）により被検眼を詳細に観察することが可能である。更に、第２正面画像（ＧＡ１、ＧＯ１）とは別に任意にスライスを設定可能な第３正面画像（ＧＡ２、ＧＯ２）を同時に観察することも可能である。このような実施形態によれば、眼科画像診断の容易化及び迅速化を図ることが可能である。
【０１２３】
実施形態において、Ｂモード画像（ＣＡ、ＣＯ）上に提示されているスライスマーカ（ＳＭ）を移動させるための操作が操作部（５０）を介して行われたとき、表示制御部（１１）は、この操作に応じて、スライスマーカ（ＳＭ）の表示位置の変更と、第２正面画像（ＧＡ１、ＧＯ１）の表示の更新とを同期的に実行することができる。それにより、所望のスライスの第２正面画像（ＧＡ１、ＧＯ１）を容易に表示させることができる。また、所望の第２正面画像（ＧＡ１、ＧＯ１）を得るためのスライスの調整を容易に行うことができる。なお、スライスの移動には、スライス厚を固定した状態での移動と、スライス厚の変更を伴う移動とが含まれる。更に、スライスの移動には、スライスの平行移動と回転移動とが含まれる。
【０１２４】
実施形態において、表示制御部（１１）は、３次元データセットに基づきそれぞれ形成された、被検眼の２以上の異なる部位をそれぞれ表す２以上の第１正面画像（ＨＡ１〜ＨＡ３、ＨＯ１〜ＨＯ３）を、これら第１正面画像（ＨＡ１〜ＨＡ３、ＨＯ１〜ＨＯ３）のそれぞれに対応する第１ソフトキーとともに第１表示領域（２０５０〜２０７０）に表示させることができる。それにより、ユーザは、たとえば、スライスが異なる２以上の第１正面画像（ＨＡ１〜ＨＡ３、ＨＯ１〜ＨＯ３）を設定することができ、それらを選択的に第２正面画像（ＧＡ１、ＧＯ１）として表示させて観察することができる。
【０１２５】
実施形態の眼科画像表示装置は、次の要素を更に備えていてよい：３次元データセットを記憶する記憶部（２０）；この３次元データセットに基づいて、第１正面画像（ＨＡ１〜ＨＡ３、ＨＯ１〜ＨＯ３）、第２正面画像（ＧＡ１、ＧＯ１）、Ｂモード画像（ＣＡ、ＣＯ）及び第３正面画像（ＧＡ２、ＧＯ２）を形成する画像形成部（データ処理部４０）。
【０１２６】
このような記憶部と画像形成部とを含まない眼科画像表示装置の実施形態も、この発明に含まれる。そのような実施形態においては、記憶部と画像形成部は、眼科画像表示装置と通信可能な外部コンピュータに設けられる。眼科画像表示装置は、この外部コンピュータとリアルタイムで通信を行うことで、実施形態に係る各種処理を実行する。
【０１２７】
実施形態において、表示制御部（１１）は、第２正面画像（ＧＡ１、ＧＯ１）及び第３正面画像（ＧＡ２、ＧＯ２）として、Ｂモード画像（ＣＡ、ＣＯ）の断面に交差する３次元データセットのスライスに基づく形態正面画像と、３次元データセットにおいて当該断面に交差するスライスに基づく血管強調正面画像とを表示可能である。それにより、被検眼の形態と血管の状態との双方を正面画像として観察することが可能である。
【０１２８】
なお、上記の実施形態では、ＯＣＴモードでは形態正面画像（ＧＯ１、ＧＯ２）が表示され、アンギオグラムモードでは血管強調正面画像（ＧＡ１、ＧＡ２）が表示される。つまり、上記の実施形態は、画像表示モードの選択に応じて、形態正面画像（ＧＯ１、ＧＯ２）と血管強調正面画像（ＧＡ１、ＧＡ２）とを切り替え表示するようになっている。他の実施形態として、１以上の形態正面画像と１以上の血管強調正面画像とを並べて表示可能なＧＵＩを提供することが可能である。
【０１２９】
実施形態の作用及び効果はこれらに限定されず、実施形態として説明されたそれぞれの事項が提供する作用及び効果や、複数の事項の組み合わせが提供する作用及び効果も考慮されるべきである。
【０１３０】
〈眼科撮影装置〉
実施形態に係る眼科撮影装置は、たとえば上記実施形態の眼科画像表示装置の一部又は全部を含んでよい。眼科撮影装置の構成例を図９に示す。なお、上記実施形態の眼科画像表示装置１（図１）と同様の構成部位には同じ符号を付し、特に言及しない限りその説明は省略する。
【０１３１】
眼科撮影装置１００は、ＯＣＴを利用して被検眼のデータを収集する機能と、被検眼の画像を観察するためのＧＵＩや被検眼に関する各種情報を表示デバイス２に表示させる機能とを備える。表示デバイス２は眼科撮影装置１００の一部であってもよいし、眼科撮影装置１００に接続された外部装置であってもよい。
【０１３２】
眼科撮影装置１００は、制御部１０と、記憶部２０と、データ処理部４０と、操作部５０と、収集部１１０とを含む。制御部１０、記憶部２０、データ処理部４０及び操作部５０は、上記実施形態の眼科画像表示装置１におけるそれらと同様の機能を少なくとも含んでよい。
【０１３３】
収集部１１０は、被検眼に対してＯＣＴを実行することにより３次元データセットを収集する。収集部１１０は、たとえばスペクトラルドメインＯＣＴ又はスウェプトソースＯＣＴを利用した計測を実行するための構成（光学系、駆動系、制御系等）と、ＯＣＴにより取得されたデータに基づいて画像データを形成するための構成とを含む。画像データ形成処理は、たとえば従来のＯＣＴ技術と同様に、ノイズ除去（ノイズ低減）、フィルタ処理、ＦＦＴ（Ｆａｓｔ  Ｆｏｕｒｉｅｒ  Ｔｒａｎｓｆｏｒｍ）などの処理を含む。
【０１３４】
収集部１１０は、被検眼の３次元領域をスキャンする。そのときのスキャンモードは、たとえばラスタスキャン（３次元スキャン）である。このラスタスキャンは、たとえば、複数のＢ断面のそれぞれを所定回数ずつスキャンするように、つまり、複数のＢ断面を所定回数ずつ順次にスキャンするように実行される。収集部１１０は、ラスタスキャンにより収集されたデータに基づいて、各Ｂ断面について複数の断面像（Ｂスキャン画像）を形成する。これら断面像を単一の３次元座標系に埋め込むことによりスタックデータが形成される。このスタックデータにおいては、各Ｂ断面に所定枚数の断面像が割り当てられている。また、このスタックデータに対して補間処理等を施すことによりボリュームデータ（ボクセルデータ）が形成される。このボリュームデータについても、各Ｂ断面に相当する位置に所定数のボクセル群が割り当てられている。スタックデータやボリュームデータは、３次元データセットの例である。
【０１３５】
眼科撮影装置１００は、このようにして得られた３次元データセットに基づいて、上記実施形態の眼科画像表示装置１と同様のＧＵＩや制御を提供する。そのために、データ処理部４０に設けられた画像形成部４１が機能する。画像形成部４１は、３次元データセットに基づいて正面画像及びＢモード画像を形成する。これら画像を形成するときの条件（スライスに関する条件、断面位置に関する条件、画質に関する条件など）は、上記実施形態の眼科画像表示装置１における画像形成処理の条件と同様であってよい。
【０１３６】
このように、眼科撮影装置１００は、実施形態に係る眼科画像表示装置に収集部（ＯＣＴ機能）及び画像形成部（レンダリング機能）を追加した構成、又は、実施形態に係る眼科画像表示装置に収集部（ＯＣＴ機能）を追加した構成と言える。
【０１３７】
このような眼科撮影装置１００によれば、上記実施形態の眼科画像表示装置１と同様に、眼科画像診断の容易化及び迅速化を図ることが可能である。
【０１３８】
以上に説明した構成は、この発明を好適に実施するための一例に過ぎない。よって、この発明の要旨の範囲内における任意の変形（省略、置換、付加等）を適宜に施すことが可能である。
【符号の説明】
【０１３９】
１  眼科画像表示装置
２  表示デバイス
１０  制御部
１１  表示制御部
２０  記憶部
３０  データ入出力部
４０  データ処理部
５０  操作部
【図１】
0006427059.tif 000002
【図２】
0006427059.tif 000003
【図３】
0006427059.tif 000004
【図４】
0006427059.tif 000005
【図５】
0006427059.tif 000006
【図６】
0006427059.tif 000007
【図７】
0006427059.tif 000008
【図８】
0006427059.tif 000009
【図９】
0006427059.tif 000010